(57)【要約】  【課題】  コイル線の断線を防止することができるコイルボビン装置を提供する。  【解決手段】  コイルボビン装置１００は、円筒状の胴部２０と、胴部２０の両端に形成されたツバ２，３と、ツバ３の接線面の一部に連接された耳部１０と、耳部１０の端部に連接された端子部４と、端子部４に垂直且つ胴部２０の半径方向外側に突出するように並設された端子５，６と、端子部４上において端子５，６の各根元部を、夫々、胴部２０の周方向両側から挟むように、端子部４に垂直且つ胴部２０の半径方向外側に突出する突出部７ａ，７ｂ，７ｃと、端子部４上において突出部７ａ，７ｂ，７ｃと協働して端子５，６の各根元部を、夫々、三方から囲繞するように端子部４に垂直且つ胴部２０の半径方向外側に突出する突出部７ｄとを備える。【選択図】      図２
2006278958.tif 000002
【特許請求の範囲】
【請求項１】
コイル線が巻回された円筒状の胴部と、前記胴部の両端に形成された一対のツバと、前記一対のツバの一方の外縁部に配設され、前記コイル線の端部が巻回される端子を有する端子部とを備えるコイルボビン装置において、前記端子部上において前記端子を挟んで並設された一対の突出部を備え、前記一対の突出部の高さは夫々等しいことを特徴とするコイルボビン装置。
【請求項２】
前記一対の突出部と協働して前記端子を三方から囲繞すべく前記端子部上に配設された他の突出部をさらに備え、前記他の突出部の高さは前記一対の突出部の高さに等しいことを特徴とする請求項１記載のコイルボビン装置。
【請求項３】
前記端子の根元部を囲繞するように前記突出部及び前記他の突出部との間において形成された溝部を備えることを特徴とする請求項２記載のコイルボビン装置。
【請求項４】
前記溝部の幅は、前記コイル線の径より大きく且つ前記コイル線の径の３倍より小さいことを特徴とする請求項３記載のコイルボビン装置。
【請求項５】
前記溝部の幅は、前記コイル線の径の略２倍であることを特徴とする請求項４記載のコイルボビン装置。
【請求項６】
前記溝部の深さは、前記コイル線の径よりも大きく且つコイル線の径の３倍より小さいことを特徴とする請求項３乃至５のいずれか１項に記載のコイルボビン装置。
【請求項７】
前記溝部の深さは、前記コイル線の径の略２倍であることを特徴とする請求項６記載のコイルボビン装置。
【発明の詳細な説明】
【技術分野】
【０００１】
本発明は、コイルボビン装置に関し、特にモータ等に利用されるコイルボビン装置に関する。
【背景技術】
【０００２】
従来のコイルボビン装置は、円筒状の胴部と、胴部に巻回されたコイル線からなるコイルと、胴部の軸方向における両端に形成されたツバと、ツバの接線面の一部に連接されてコイル線の両端が夫々巻回された複数の端子を有する端子部とを備える。上記コイルボビン装置において、端子部に互いに隣接する凹部と凸部を形成を形成し、凹部に端子を突設し、凸部にプリント基板が当接するように構成されたコイルボビン装置が提案されている（例えば、特許文献１参照。）。この装置によれば、端子の両側に凹部及び凸部を備えるので、プリント基板によって端子に巻回されたコイル線が断線されるのを防止することができる。
【特許文献１】特開平０２−６５６４８号公報
【発明の開示】
【発明が解決しようとする課題】
【０００３】
しかしながら、上記従来のコイルボビン装置には、以下の問題点がある。
（１）コイル線を端子に巻回する際に、コイル線が凸部に引っ掛り易く、コイル線を端子に巻回することが困難であり、また、コイル線が断線するおそれがある。
（２）フレキシブルプリント基板のように変形しやすい基板を凸部に当接する場合、基板と端子とを半田付けする際に端子近傍で半田ゴテを強く押し当てると、端子と凸部との隙間に落ち込むように基板が変形し、これによりコイル線が断線するおそれがある。
【０００４】
本発明の目的は、コイル線の断線を確実に防止することができるコイルボビン装置を提供することにある。
【課題を解決するための手段】
【０００５】
上記目的を達成するために、請求項１記載のコイルボビン装置は、コイル線が巻回された円筒状の胴部と、前記胴部の両端に形成された一対のツバと、前記一対のツバの一方の外縁部に配設され、前記コイル線の端部が巻回される端子を有する端子部とを備えるコイルボビン装置において、前記端子部上において前記端子を挟んで並設された一対の突出部を備え、前記一対の突出部の高さは夫々等しいことを特徴とする。
【０００６】
請求項２記載のコイルボビン装置は、請求項１記載のコイルボビン装置において、前記一対の突出部と協働して前記端子を三方から囲繞すべく前記端子部上に配設された他の突出部をさらに備え、前記他の突出部の高さは前記一対の突出部の高さに等しいことを特徴とする。
【０００７】
請求項３記載のコイルボビン装置は、請求項２記載のコイルボビン装置において、前記端子の根元部を囲繞するように前記突出部及び前記他の突出部との間において形成された溝部を備えることを特徴とする。
【０００８】
請求項４記載のコイルボビン装置は、請求項３記載のコイルボビン装置において、前記溝部の幅は、前記コイル線の径より大きく且つ前記コイル線の径の３倍より小さいことを特徴とする。
【０００９】
請求項５記載のコイルボビン装置は、請求項４記載のコイルボビン装置において、前記溝部の幅は、前記コイル線の径の略２倍であることを特徴とする。
【００１０】
請求項６記載のコイルボビン装置は、請求項３乃至５のいずれか１項に記載のコイルボビン装置において、前記溝部の深さは、前記コイル線の径よりも大きく且つコイル線の径の３倍より小さいことを特徴とする。
【００１１】
請求項７記載のコイルボビン装置は、請求項６記載のコイルボビン装置において、前記溝部の深さは、前記コイル線の径の略２倍であることを特徴とする。
【発明の効果】
【００１２】
請求項１記載のコイルボビン装置によれば、端子部上において端子を挟んで並設された一対の突出部の高さは夫々等しいので、突出部の案内によってコイル線を端子の所望の位置に容易に巻回することができ、また、コイル線を端子に巻回する際におけるコイル線の突出部への引っ掛かりを無くすと共に半田付けの際における基板の変形を最小限に抑えることができ、もってコイル線の断線を防止することができる。
【００１３】
請求項２記載のコイルボビン装置によれば、一対の突出部と協働して端子を三方から囲繞すべく端子部上に配設された他の突出部の高さは、一対の突出部の高さと等しいので、突出部の案内によってコイル線を端子の所望の位置により容易に巻回することができ、また、コイル線を端子に巻回する際におけるコイル線の突出部への引っ掛かりを無くすと共に半田付けの際における基板の変形を最小限に抑えることができ、もってコイル線の断線を防止することができる。
【００１４】
請求項３記載のコイルボビン装置によれば、端子の根元部を囲繞するように突出部及び他の突出部との間において形成された溝部を備えるので、コイル線を端子に巻回する際におけるコイル線の突出部への引っ掛かりをより無くすことができる。
【００１５】
請求項４記載のコイルボビン装置によれば、溝部の幅は、コイル線の径より大きく、且つコイル線の径の３倍より小さいので、コイル線を端子に巻回する際におけるコイル線の突出部への引っ掛かりを確実に無くすと共に半田付けの際における基板の変形を最小限に抑えることができ、もってコイル線の断線を防止することができる。
【００１６】
請求項５記載のコイルボビン装置によれば、溝部の幅は、コイル線の径の略２倍であるので、コイル線を端子に巻回する際におけるコイル線の突出部への引っ掛かりをより確実に無くすと共に半田付けの際における基板の変形を最小限に抑えることができ、もってコイル線の断線を防止することができる。
【００１７】
請求項６記載のコイルボビン装置によれば、前記溝部の深さは、前記コイル線の径よりも大きく、且つコイル線の径の３倍より小さいので、コイル線を端子に巻回する際におけるコイル線の突出部への引っ掛かりを無くすことができる。
【００１８】
請求項７記載のコイルボビン装置によれば、溝部の深さは、コイル線の径の略２倍であるので、コイル線を端子に巻回する際におけるコイル線の突出部への引っ掛かりをより確実に無くすことができる。
【発明を実施するための最良の形態】
【００１９】
以下、本発明の実施の形態を図面を用いて詳述する。
【００２０】
図１は、本発明の実施の形態に係るコイルボビン装置の概略構成を示す斜視図である。
【００２１】
図１において、コイルボビン装置１００は、円筒状の胴部２０と、胴部２０に巻回されたコイル線から成るコイル１と、胴部２０の軸方向における両端に形成されたリング状のツバ２，３と、ツバ３の接線面の一部に連接されて胴部２０の半径方向外側に突出した耳部１０とを備える。
【００２２】
コイルボビン装置１００は、また、ツバ３に垂直且つ胴部２０の軸方向外側に突出するように耳部１０の端部に連接された矩形の平板である端子部４と、端子部４に垂直且つ胴部２０の半径方向外側に突出するように、端子部４上において胴部２０の周方向に並設された四角柱状の端子５，６とを備え、端子５，６は、夫々、上記コイル線の一端及び他端が巻回される。
【００２３】
図２は、図１のコイルボビン装置の概略構成を示す側面図である。
【００２４】
図２において、コイルボビン装置１００は、端子部４上において端子５，６の各根元部を、夫々、胴部２０の周方向両側から挟むように、端子部４に垂直且つ胴部２０の半径方向外側に突出する突出部７ａ，７ｂ，７ｃと、端子部４上において、突出部７ａ，７ｂ，７ｃと協働して端子５，６の各根元部を、夫々、三方から囲繞するように端子部４に垂直且つ胴部２０の半径方向外側に突出する突出部７ｄとを備え、突出部７ａ〜７ｄは、端子部４と一体的に形成されている。
【００２５】
端子部４は、端子５，６の根元部を囲繞するように突出部７ａ〜７ｄとの間に夫々設けられた溝部８，９とを備える（図３）。
【００２６】
端子５，６は、不図示の基板に穿孔された孔に嵌挿されると共に、基板を突出部７に当接して端子５，６と上記孔とを半田ごてによって半田付けされる。
【００２７】
図４は、図１における端子部の概略構成を示す側面図であり、図５は、図１における端子部の概略構成を示す上面図である。
【００２８】
図４及び図５において、コイル線の径はＷ１、溝部８，９の幅はＷ２及びその深さはＷ３である。
【００２９】
端子５の根元部からＷ２だけ離間した位置において、突出部７ａ，７ｂ，７ｄは、協働して端子５の根元部を三方から囲繞しており、さらに、突出部７ａ，７ｂ，７ｄは、高さが夫々等しいので、端子５にコイル線の一端を巻回する際に、突出部７ａ，７ｂ，７ｄの溝部８側の縁部による案内によって端子５の所望の位置にコイル線を容易に巻回することができる。同様に、端子６の根元部からＷ２だけ離間した位置において、突出部７ｂ，７ｃ，７ｄは、協働して端子６の根元部を三方から囲繞しており、さらに、突出部７ｂ，７ｃ，７ｄは、高さが夫々等しいので、端子６にコイル線の一端を巻回する際に、突出部７ｂ，７ｃ，７ｄの溝部９側の縁部による案内によって端子６の所望の位置にコイル線を容易に巻回することができる。
【００３０】
このとき、端子５，６は、コイル線が巻回されたことによって、その最外径が大きくなり、巻回されたコイル線に対して半田付けが施されることによって、さらにその最外径が大きくなるので、最終的には、端子５，６の最外径は、コイル線の径Ｗ１の略２倍だけ大きくなる。
【００３１】
そこで、溝部８，９の幅Ｗ２は、コイル線径Ｗ１の略２倍とする。これにより、端子５，６にコイル線の両端が巻回される際に、コイル線が夫々突出部７ａ，７ｂの溝部８側の縁部、及び突出部７ｂ，７ｃの溝部９側の縁部への引っ掛かりを無くすことができ、もってコイル線の断線を防止することができる。
【００３２】
また、コイル線が端子５，６に巻回された後は、巻回されたコイル線は、夫々溝部８，９を埋めるようにして溝部８，９に収納されているので、コイル線が夫々突出部７ａ，７ｂの溝部８側の縁部、及び突出部７ｂ，７ｃの溝部９側の縁部への引っ掛かりをより確実に無くすことができ、もってコイル線の断線を防止することができる。
【００３３】
また、基板と端子５，６とを半田ごてによって半田付けする際に、溝部８，９の幅Ｗ２が大きい場合は、半田ごてによって基板が強く押されてしまうと基板が溝部８，９に嵌るように変形してしまう。
【００３４】
しかしながら、本実施の形態では、溝部８，９の幅Ｗ２がコイル線径Ｗ１の２倍であり、無駄に広くないので、基盤の変形を最小限に抑えることができる。
【００３５】
また、溝部８，９の深さＷ３は、コイル線径Ｗ１に略等しい。これにより、コイル線を夫々端子５，６に巻回する際に、コイル線が夫々突出部７ａ，７ｂの溝部８側の縁部、及び突出部７ｂ，７ｃの溝部９側の縁部への引っ掛かりを無くすことができる。また、端子５，６に巻回された後は、巻回されたコイル線は、夫々溝部８，９に収納されて、溝部８，９がコイル線によって埋められるので、コイル線が夫々突出部７ａ，７ｂの溝部８側の縁部、及び突出部７ｂ，７ｃの溝部９側の縁部への引っ掛かりをより確実に無くすことができる。
【００３６】
本実施の形態では、溝部８，９の幅Ｗ２は、コイル線径Ｗ１の略２倍としたが、これに限らず、溝部８，９の幅Ｗ２は、コイル線径Ｗ１よりも大きく且つコイル線径Ｗ１の３倍よりも小さくなるように設定されていればよい。
【００３７】
本実施の形態では、溝部８，９の深さＷ３は、コイル線径Ｗ１に略等しいが、これに限らず、溝部８，９の深さＷ３は、コイル線径Ｗ１以上であり且つコイル線径Ｗ１の３倍よりも小さくなるように設定されていればよい。
【００３８】
本実施の形態では、突出部７ａ，７ｂ，７ｄは、協働して端子５の根元部を三方から囲繞し、突出部７ｂ，７ｃ，７ｄは、協働して端子６の根元部を三方から囲繞する構成であったが、三方から囲繞することに限ることはなく、少なくとも対向する二方から端子５，６を夫々挟み込む構成であればよい。
【図面の簡単な説明】
【００３９】
【図１】本発明の実施の形態に係るコイルボビン装置の概略構成を示す斜視図である。
【図２】図１のコイルボビン装置の概略構成を示す側面図である。
【図３】図１のコイルボビン装置の概略構成を示す上面図である。
【図４】図１における端子部の概略構成を示す側面図である。
【図５】図１における端子部の概略構成を示す上面図である。
【符号の説明】
【００４０】
１  コイル
２，３  ツバ
４  端子部
５，６  端子
７ａ，７ｂ，７ｃ，７ｄ  突出部
８，９  溝部
２０  胴部
１００  コイルボビン装置
【図１】
2006278958.tif 000003
【図２】
2006278958.tif 000004
【図３】
2006278958.tif 000005
【図４】
2006278958.tif 000006
【図５】
2006278958.tif 000007